(57)【要約】【課題】  腕輪クラスプにおいて、閉位置にあるときにカバーを適所に維持し、カバーに取り付けられたストランドが外れるのを防ぐ。【解決手段】  本発明は、３つの細長材と、及びこれら細長材のうちの１つにヒンジ付けされたカバーとを有する腕輪クラスプに関する。このクラスプには、第１及び第２の押し部品と、及び圧力がこれらの押し部品に同時にかけられたときにクラスプが外れるようなカバーの横方向の運動を防ぐ安全デバイスとが設けられている。本発明によると、安全デバイスは、カバーフラップの間で受けられるスペーサーを有し、押し部品と、及びこの押し部品とは反対側のカバーのフラップとの両方に圧力が同時にかけられたときに、このスペーサーの端は、カバーフラップに当接して、クラスプが外れることをもたらすようなカバーの横方向の運動を防ぐ。【選択図】  図２
2016174894.tif 000002
【特許請求の範囲】
【請求項１】
堅固な第１の細長材（１）と、第１及び第２の押し部品（３２０、３３０）と、及びロック機構とを有する腕輪クラスプであって、
前記第１の細長材（１）の第１の端（１０）は、第２の折り畳み用細長材（２）の第１の端（２０）にヒンジ付けされており、この第２の折り畳み用細長材（２）は、前記第１の細長材（１）の第２の端（２１）において第１の腕輪ストランドを受けるように構成し、
前記第１の細長材（１）の第２の端（１１）は、第３の折り畳み用細長材（３）の第１の端（３０）にヒンジ付けされており、この第３の折り畳み用細長材（３）から第１及び第２のブランチ（３２、３３）が延び、これらの第１及び第２のブランチ（３２、３３）に、アーバー（４４）のまわりで、カバー（４）がヒンジ付けされており、
このカバー（４）は、前記カバー（４）に対して垂直に延在する第１及び第２のフラップ（４０、４１）と、及び第２の腕輪ストランドを保持する手段とを有し、
クラスプが閉位置にあるときに、前記第３の細長材（３）は、前記第２の細長材（２）の前記第２の端（２１）を部分的にカバーしており、
前記第１及び第２の押し部品（３２０、３３０）は、前記第１及び第２のブランチ（３２、３３）と一体化されており、
前記ロック機構は、前記押し部品（３２０、３３０）に圧力が同時にかけられていないときに、前記第１の細長材（１）にロックされるように前記第３の細長材（３）を保持するように構成し、
前記クラスプが閉位置にあるときに前記カバー（４）を開く試みがなされた場合に、安全デバイスが、前記アーバー（４４）のまわりの反時計回りの方向の前記カバー（４）の回転を防いで、前記保持手段から前記第２のストランドが解放され、
前記安全デバイスは、スペーサー（２３）と、及び止めメンバーとを有し、
前記スペーサー（２３）は、前記カバー（４）の前記フラップ（４０、４１）の間に収容され、
前記スペーサー（２３）の両端は、前記カバー（４）の前記フラップ（４０、４１）に当接し、
前記止めメンバーは、前記クラスプが閉位置にあるときに前記アーバー（４４）のまわりの前記カバー（４）の回転を防ぐように前記スペーサー（２３）と連係するように構成する
ことを特徴とする腕輪クラスプ。
【請求項２】
前記止めメンバーは、前記フラップ（４０、４１）に形成される
ことを特徴とする請求項１に記載の腕輪クラスプ。
【請求項３】
前記止めメンバーはそれぞれ、凹部（４６、４７）で形成され、この凹部（４６、４７）のそれぞれには、前記スペーサー（２３）を通すための開口が設けられている
ことを特徴とする請求項１又は２に記載の腕輪クラスプ。
【請求項４】
押し部品（３２０、３３０）と、この押し部品（３２０、３３０）とは反対側の前記カバー（４）のフラップ（４０、４１）との両方に圧力が同時にかけられたときに、前記スペーサー（２３）の前記両端が、前記カバー（４）の前記フラップ（４０、４１）の前記凹部（４６、４７）に当接して、前記クラスプが外れる前記カバー（４）の横方向の運動を防ぐ
ことを特徴とする請求項１〜３のいずれかに記載の腕輪クラスプ。
【請求項５】
前記スペーサー（２３）は、前記第２の細長材（２）によって支えられている
ことを特徴とする請求項１〜４のいずれかに記載の腕輪クラスプ。
【請求項６】
前記スペーサー（２３）は、前記第２の細長材（２）の前記第２の端（２１）に固定される
ことを特徴とする請求項１〜５のいずれかに記載の腕輪クラスプ。
【請求項７】
前記スペーサー（２３）は、前記第１の腕輪ストランドのためのアンカー点として用いられる
ことを特徴とする請求項１〜６のいずれかに記載の腕輪クラスプ。
【請求項８】
前記クラスプが閉位置にあるときに前記第１の細長材（１）に対する前記第２の細長材（２）のロックを維持するロック手段を有する
ことを特徴とする請求項１〜７のいずれかに記載の腕輪クラスプ。
【請求項９】
前記ロック機構は、前記第１の細長材（１）と一体化された第１のキャッチ対（１４、１５）と、及び前記第３の細長材（３）と一体化された第２のキャッチ対（３４、３５）とを有する
ことを特徴とする請求項１〜８のいずれかに記載の腕輪クラスプ。
【請求項１０】
前記第２のキャッチ対（３４、３５）は、前記ブランチ（３２、３３）と一体化されている
ことを特徴とする請求項９に記載の腕輪クラスプ。
【請求項１１】
前記ブランチ（３２、３３）は、その長さのすべて又は一部にわたって横方向に可撓性を有する
ことを特徴とする請求項１〜１０のいずれかに記載の腕輪クラスプ。
【請求項１２】
請求項１〜１１のいずれかに記載の腕輪クラスプが設けられた腕輪を有する
ことを特徴とする腕時計。
【発明の詳細な説明】
【技術分野】
【０００１】
本発明は、腕輪クラスプ、特に、腕時計用の腕輪又はストラップに関する。
【背景技術】
【０００２】
米国特許ＵＳ１８３２７３４の様に、カバーと２つの押し部品とを有するクラスプであって、これらの押し部品が延在する軸がカバーのヒンジの軸と一致しないものが知られている。しかし、単一の押し部品に対する加圧に加えて、同時にその押し部品とは反対側からカバーに圧力がかけられると、クラスプが開いてしまう。これは、本発明の出願人にとってはまったく承服しがたいことである。
【０００３】
また、欧州特許ＥＰ０９１３１０６によれば、２つの側方メンバーを備える堅固な基礎と、腕輪ストランドに取り付けられるように構成するカバーと、及び後端が第１のヒンジによって基礎の一端に取り付けられ前端が第２のヒンジによってカバーに取り付けられた少なくとも１つの折り畳み用アームとを有する折り畳み式クラスプが知られている。折り畳み用アームは、押し部品を備える２つの並置のブランチを有し、その前端どうしは弾性要素によって離れて保持されている。このようなクラスプは、前記と同じ課題を有する。すなわち、カバーの遊びが大きすぎ、これによって、単一の押し部品に対する加圧に加えて、同時にその押し部品とは反対側からカバーに対して圧力がかけられると、クラスプが開いてしまうおそれがある。
【発明の概要】
【発明が解決しようとする課題】
【０００４】
本発明は、安全上の必要条件を満たしクラスプが容易に開くのを防ぐクラスプを提供することによって、前記課題のすべて又は一部を克服することを目的とする。
【０００５】
本発明は、クラスプが閉位置にあるときにカバーを適所に維持し、カバーに取り付けられたストランドが外れるのを防ぐようなクラスプを提供することを別の目的とする。
【０００６】
また、本発明は、製造が単純で経済的であるようなクラスプを提供することも目的とする。
【課題を解決するための手段】
【０００７】
このために、本発明は、堅固な第１の細長材と、第１及び第２の押し部品と、及びロック機構とを有する腕輪クラスプに関し、前記第１の細長材の第１の端は、第２の折り畳み用細長材の第１の端にヒンジ付けされており、この第２の折り畳み用細長材は、前記第１の細長材の第２の端において第１の腕輪ストランドを受けるように構成し、前記第１の細長材の第２の端は、第３の折り畳み用細長材の第１の端にヒンジ付けされており、この第３の折り畳み用細長材から第１及び第２のブランチが延び、これらの第１及び第２のブランチに、アーバーのまわりで、カバーがヒンジ付けされており、このカバーは、前記カバーに対して垂直に延在する第１及び第２のフラップと、及び第２の腕輪ストランドを保持する手段とを有し、クラスプが閉位置にあるときに、前記第３の細長材は、前記第２の細長材の前記第２の端を部分的にカバーしており、前記第１及び第２の押し部品は、前記第１及び第２のブランチと一体化されており、前記ロック機構は、前記押し部品に圧力が同時にかけられていないときに、前記第１の細長材にロックされるように前記第３の細長材を保持するように構成し、前記クラスプが閉位置にあるときに前記カバーを開く試みがなされた場合に、安全デバイスが、前記アーバーのまわりの反時計回りの方向の前記カバーの回転を防いで、前記保持手段から前記第２のストランドが解放される。
【０００８】
本発明によると、前記安全デバイスは、スペーサーと、及び止めメンバーとを有し、前記スペーサーは、前記カバーの前記フラップの間に収容され、前記スペーサーの両端は、前記カバーの前記フラップに当接し、前記止めメンバーは、前記クラスプが閉位置にあるときに前記アーバーのまわりの前記カバーの回転を防ぐように前記スペーサーと連係するように構成する。
【０００９】
これらの特徴の結果、このようなクラスプは、窃盗の試みに対するセキュリティーを強くし、この安全デバイスは、押し部品とこの押し部品とは反対側のカバーのフラップとの両方に同時に圧力がかけられたときに、クラスプが外れることをもたらすカバーの横方向の運動を防ぐ。
【００１０】
本発明の他の好ましい変種によると、
−  止めメンバーがフラップに形成される。
−  止めメンバーはそれぞれ凹部で形成され、この凹部にはそれぞれ、スペーサーを通す開口が設けられている。
−  押し部品とこの押し部品とは反対側のカバーのフラップとの両方に同時に圧力をかけられたときに、スペーサーの両端がカバーフラップの凹部と当接して、クラスプが外れることをもたらすカバーの横方向の運動を防ぐ。
−  スペーサーは、第２の細長材によって支えられている。
−  スペーサーは、第２の細長材の第２の端に固定される。
−  スペーサーは、第１の腕輪ストランドのためのアンカー点として用いられる。
−  クラスプは、このクラスプが閉位置のときに、第１の細長材に対してロックされるように第２の細長材を保持するロック手段を有する。
−  ロック機構は、第１の細長材と一体化された第１のキャッチ対と、及び第３の細長材と一体化された第２の１キャッチ対とを有する。
−  第２のキャッチ対は、両ブランチと一体化されている。
−  両ブランチは、その長さのすべて又は一部にわたって横方向に可撓性を有する。
【００１１】
本発明は、さらに、本発明に係るクラスプを備える腕輪を有する腕時計に関する。
【００１２】
単に説明用の例（これに制限されない）である本発明の特定の実施形態についての以下の説明及び添付の図面を読むことで、本発明の他の特徴及び利点をより明確に理解することができるであろう。
【図面の簡単な説明】
【００１３】
【図１】本発明の第１の実施形態によるクラスプの斜視図である。
【図２】本発明の第１の実施形態によるクラスプの上面図である。
【図３】本発明の第１の実施形態によるクラスプの下面図である。
【図４】本発明の第１の実施形態によるクラスプの側面図である。
【図５】本発明の第１の実施形態によるクラスプの分解図である。
【図６】図６ａ〜６ｃはそれぞれ、本発明の第２の実施形態に係るクラスプを示しており、第２の実施形態によるクラスプのカバーの上面図及び下面図を示している。
【図７】本発明の第２の実施形態によるクラスプの断面図である。
【発明を実施するための形態】
【００１４】
以下、図１、２、３、４及び５を同時に参照して、第１の実施形態による腕輪クラスプを説明する。この第１の実施形態は、従来技術に基づいており、本発明の理解に役立つものとして説明する。
【００１５】
図１及び５は、ブリッジによって互いに接続された２つの側方メンバー１ａ及び１ｂを備える堅固な第１の細長材１を有する腕輪クラスプの斜視図である。この細長材の第１の端１０は、アーバー１２によって第２の折り畳み用細長材２の第１の端２０にヒンジ付けされている。この第２の細長材２は、その第２の端２１で、第１の腕輪ストランドをアーバー２３によって受けるように構成する。
【００１６】
第１の細長材１の他方の端１１は、第３の折り畳み用細長材３の第１の端３０にヒンジ付けされ、この第３の細長材３は、クラスプが閉位置にある場合に第２の細長材２の第２の端２１を部分的にカバーする。
【００１７】
第１及び第２のブランチ３２及び３３は、平行移動が可能であり、これらは、第３の細長材３の第１の端３０から延びる。図示しない本発明の変種によると、第１の細長材１は固体であって、ブランチ３２及び３３を受けるように構成するロック手段を有する受容体を有することができる。
【００１８】
また、クラスプは、ブランチ３２及び３３にヒンジ付けされたカバー４を有し、これには、カバー４に対して垂直に延在する第１及び第２のフラップ４０及び４１が設けられている。フラップ４０及び４１には、穴４２及び４３が設けられており、これらは、アーバー４４の端を受けて、ブランチ３２及び３３と、カバー４との間のヒンジを形成するように構成する。
【００１９】
カバー４は、図に示すようなピン４５又は棒のような第２の腕輪ストランドを保持する手段を有して、第２の腕輪ストランドのための始点を定めることができる。図３及び５は、さらに、第１及び第２のブランチ３２及び３３と一体化された第１及び第２の押し部品３２０及び３３０を示している。図１〜５に示す実施形態によると、押し部品３２０及び３３０は、ブランチ３２及び３３を横断するアーバー４４とはアラインメント状態になっておらず、このアラインメント軸よりも前にある。別の実施形態によると、押し部品３２０及び３３０は、アーバー４４とアラインメント状態となっていることができる。
【００２０】
押し部品３２０及び３３０に同時に圧力がかけられないときに第３の細長材３が第１の細長材１にロックされている状態を維持するように、ロック機構が設けられている。このために、第１の細長材１の側方メンバー１ａ及び１ｂはそれぞれ、固定されたキャッチ１４及び１５を有し、これらは、ブランチ３２及び３３に設けられたキャッチ３４及び３５とそれぞれ連係するように構成する。図３に、このキャッチの構成を示してある。
【００２１】
本発明によると、クラスプは、押し部品３２０又は３３０と、押し部品とは反対側のカバー４のフラップ４０又は４１とに圧力が同時にかけられた場合にクラスプを不注意で開けさせるカバー４の横方向の運動を防ぐ安全デバイスを有している。
【００２２】
図で観察することができるように、実際の安全デバイスは、第２の細長材２の第２の端２１に配置されたスペーサー２３の形態であり、このスペーサー２３は、クラスプが閉位置にある場合に、カバー４のフラップ４０及び４１の間で受けられる。
【００２３】
以下、安全デバイスの動作を説明する。
【００２４】
図３において、押し部品３２０及び３３０は発動されておらず、クラスプのロックは、側方メンバー１ａ及び１ｂのキャッチ１４及び１５が、ブランチ３２及び３３のキャッチ３４及び３５とそれぞれ連係するように示してある。
【００２５】
図２におけるようにクラスプが折り畳まれていれば、カバー４のフラップ４０又は４１の一方に圧力がかけられているときに、スペーサー２３の端はそれぞれ、カバー４の各フラップ４０及び４１に当接する。これによって、フラップ４０及び４１のあらゆる変形を防ぐ。
【００２６】
カバー４の押し部品３２０とフラップ４１とに同じ圧力が同時にかけられる場合、このことは、クラスプを解除させない。なぜなら、それに嵌った安全デバイスのためである。閉位置では、スペーサー２３は、カバー４のフラップ４０及び４１の内壁に当接する。なお、スペーサー２３が存在しなかった場合、カバー４のフラップ４１に与えられた圧力がカバー４及びブランチ３３を運動させ、このために、キャッチ１５及び３３も開放することを理解できるであろう。他方の押し部品３２１が発動され、カバー４の他方のフラップ４０に圧力がかけられた場合にも、同じ状況が発生する。
【００２７】
結論として、クラスプを開くためには、両方の押し部品に圧力を同時にかけられなければならず、カバーに与えられた圧力は影響を与えない。押し部品３２０及び３３０が発動している場合、ブランチ３２及び３３のキャッチ３４及び３５が、側方メンバー１ａ及び１ｂのキャッチ１４及び１５から解放され、これによって、第３の細長材３が解放されクラスプが開く。
【００２８】
以下、図６ａ、６ｂ、６ｃ及び７を同時に参照して、第２の実施形態による腕輪クラスプを説明する。
【００２９】
図６ａは、第２の実施形態による腕輪クラスプの斜視図であり、これは、ブリッジによって互いに接続された２つの側方メンバー１ａ及び１ｂが設けられた堅固な第１の細長材１を有する。この細長材の第１の端１０は、アーバー１２によって第２の折り畳み用細長材２の第１の端２０にヒンジ付けされている。この第２の細長材２は、アーバー２３によって第１の腕輪ストランドをその第２の端２１で受けるように構成する。
【００３０】
第１の細長材１の他方の端１１は、第３の折り畳み用細長材３の第１の端３０にヒンジ付けされ、第３の細長材３は、クラスプが閉位置にあるときに、第２の細長材２の第２の端２１を部分的にカバーする。
【００３１】
第１及び第２のブランチ３２及び３３は、平行移動が可能であり、これらは、第３の細長材３の第１の端３０を端としている。クラスプは、さらに、ブランチ３２及び３３にヒンジ付けされたカバー４を有し、これには、カバー４に対して垂直に延在する第１及び第２のフラップ４０及び４１が設けられている。フラップ４０及び４１には、穴４２及び４３が設けられており、これらは、アーバー４４の端を受けて、ブランチ３２及び３３と、カバー４との間でヒンジを形成するように構成する。
【００３２】
図６ｂ及び６ｃにおいて観察することができるように、カバー４は、フラップ４０及び４１に形成された止めメンバーを有し、これは、クラスプが閉位置にあるときに、安全デバイスのスペーサー２３と連係して、反時計回りの方向のアーバー４４を中心とするカバー４の回転を防ぐように構成する。
【００３３】
止めメンバーは、凹部４６及び４７によって形成され、これらにはそれぞれ、下方、すなわち、クラスプ細長材の方を向いている開口４６０及び４８０が設けられている。これによって、スペーサー２３の両端を凹部４６及び４７に挿入することができる。図７で観察することができるように、スペーサー２３の端が凹部４６内に収容され、これによって、カバー４の開口をブロックする。実際に、カバー４は、アーバー４４のまわりを反時計回りの方向に回転することができなくなり、また、時計回りの方向に回転することもできなくなる。なぜなら、クラスプが閉位置にあるときに、押し部品３２０及び３３０がカバー４をブロックするからである。
【００３４】
好ましいことに、クラスプが閉位置にあるときに誰かがカバー４を上げることを試みた場合、スペーサー２３が凹部４６及び４７の底４６１及び４７１に当接して、凹部４６及び４７の両方が、カバー４の回転をブロックする。また、スペーサー２３の端はそれぞれ、カバーのフラップ４０及び４１に形成された凹部４６及び４７の壁のそれぞれに当接する。このことは、フラップ４０又は４１の一方に圧力がかけられたときに、カバー４のフラップ４０及び４１のあらゆる変形をも防ぐ。
【００３５】
図示していない代替実施形態によると、スペーサー３４がカバー４のフラップ４０及び４１のそれぞれを横断するように、凹部４６及び４７は、開いているように構成している。
【００３６】
同様に、図示していない代替実施形態によると、スペーサー２３は、その各端において、ばね付勢されたボールを有することができ、このばね付勢されたボールはそれぞれ、半球形の凹部４６及び４７と連係するように構成している。
【００３７】
もちろん、本発明は図示した例に制限されず、当業者にとって明らかな様々な変種及び変更が可能である。
【符号の説明】
【００３８】
１  第１の細長材
１０  第１の細長材の第１の端
１１  第１の細長材の第２の端
１２  アーバー
１３  アーバー
１４、１５  第１のキャッチ対
２  第２の細長材
２０  第２の細長材の第１の端
２１  第２の細長材の第２の端
２３  スペーサー
３  第３の細長材
３０  第３の細長材の第１の端
３１  第３の細長材の第２の端
３２、３３  ブランチ
３４、３５  第２のキャッチ対
３２０、３３０  押し部品
４  カバー
４０、４１  カバーフラップ
４２、４３  穴
４４  アーバー
４５  ピン
４６、４７  凹部
４６０、４７０  開口
４６１、４７１  凹部の底
【図１】
2016174894.tif 000003
【図２】
2016174894.tif 000004
【図３】
2016174894.tif 000005
【図４】
2016174894.tif 000006
【図５】
2016174894.tif 000007
【図６】
2016174894.tif 000008
【図７】
2016174894.tif 000009